(57)【要約】【課題】ＣＭＯＳタイプの画像処理回路を用いた画像処理装置において、装置の停止時に、画像処理回路に接続されたＣＰＵから回り込んで、画像処理回路の出力ラインから流れ出る電流による消費電力を低減する。【解決手段】  画像処理装置の停止時に、ＣＰＵから画像処理回路にリセット信号を出力して画像処理回路の出力ラインをロウレベルまたはハイインピーダンス状態とし、画像処理回路に供給するクロック信号を停止する。更に、画像処理回路への電源供給は継続しつつ、表示デバイスとその駆動回路への電源供給は停止する。この結果、ＣＰＵからの回り込みによる電力消費は抑制される。【選択図】図２
2010151920.tif 000002
【特許請求の範囲】
【請求項１】
外部から入力された画像信号を処理する画像処理装置であって、
動作用のクロック信号を得て、前記画像信号を処理するＣＭＯＳタイプの画像処理回路と、
前記画像処理回路に接続されて表示用デバイスを駆動する駆動回路と、
前記画像処理回路および駆動回路を含む当該画像処理装置内の各回路に電源を供給する電源部と、
当該画像処理装置の動作を停止すると判断したとき、前記電源部からの前記電源供給のうち、少なくとも前記駆動回路への電源供給を停止すると共に、前記クロック信号の周波数を、当該画像処理装置の動作時より低くし、かつ前記画像処理回路の出力をハイインピーダンス状態またはロウレベルとする停止用制御信号を出力する停止処理部と
を備えた画像処理装置。
【請求項２】
請求項１記載の画像処理装置であって、
少なくとも前記画像処理回路と共通のバスを介して接続され、当該画像処理装置内の各回路の動作を制御する制御部を設け、
前記停止処理部を、前記制御部が実行する処理の一つとして実現した
画像処理装置。
【請求項３】
請求項１または請求項２記載の画像処理装置であって、
前記停止処理部は、
当該装置の使用者が操作する操作部に設けられたスタンバイモードスイッチが操作されたとき、
当該装置の状態が、異常状態となったことが検出されたとき、または
前記外部からの画像信号が検出されない状態が所定時間以上継続したとき
のうちの少なくとも一つが満たされた場合に、前記画像処理装置の動作を停止するとの前記判断を行なう
画像処理装置。
【請求項４】
請求項１ないし請求項３のいずれか記載の画像処理装置であって、
前記画像処理回路は、前記駆動回路に接続された出力側の複数のラインの最終段に、ＣＭＯＳ素子によるゲートを備え、停止用制御信号を受け付けたとき、前記ゲートを制御して、該ゲートの出力を、ハイインピーダンス状態またはロウレベルとする
画像処理装置。
【請求項５】
請求項４記載の画像処理装置であって、
前記画像処理回路は、前記複数のラインに対応して、前記停止制御信号を保持するラッチを備え、該ラッチの出力信号により前記ゲートの出力が、ハイインピーダンス状態またはロウレベルとなるとように前記ラッチと前記ゲートとを接続した
画像処理装置。
【請求項６】
前記画像処理回路は、前記表示用デバイスの色調整用のルックアップテーブルを備えた請求項１ないし請求項５のいずれか記載の画像表示装置。
【請求項７】
前記停止処理部は、前記クロック信号の周波数を０とする請求項１ないし請求項５のいずれか記載の画像処理装置。
【請求項８】
画像信号を処理して表示する投影型表示装置であって、
光源からの光を用いて投影する画像を形成する表示用デバイスと、
動作用のクロック信号を得て、前記画像信号を処理するＣＭＯＳタイプの画像処理回路と、
前記画像処理回路に接続されて前記表示用デバイスを駆動する駆動回路と、
前記画像処理回路および駆動回路を含む当該投影型表示装置内の各回路に電源を供給する電源部と、
少なくとも前記画像処理回路と共通のバスを介して接続され、当該投影型表示装置内の各回路の動作を制御する制御部と、
当該投影型表示装置の動作を停止すると判断したとき、前記電源部からの前記電源供給のうち、少なくとも前記駆動回路への電源供給を停止すると共に、前記クロック信号の周波数を、当該投影型表示装置の動作時より低くし、かつ前記画像処理回路の出力をハイインピーダンス状態またはロウレベルとする停止用制御信号を出力する停止処理部と
を備えた投影型表示装置。
【請求項９】
外部から入力された画像信号を処理する画像処理装置の消費電力を低減する方法であって、
動作用のクロック信号を得て、前記画像信号を処理するＣＭＯＳタイプの画像処理回路と、該画像処理回路に接続されており表示用デバイスを駆動する駆動回路とを含む前記画像処理装置内の各回路に、該画像処理装置の動作中は、電源を供給し、
前記画像処理装置の動作を停止すると判断したとき、前記電源部からの前記電源供給のうち、少なくとも前記駆動回路への電源供給を停止すると共に、
前記クロック信号の周波数を、当該画像処理装置の動作時より低くし、かつ前記画像処理回路の出力をハイインピーダンス状態またはロウレベルとする
画像処理装置の消費電力低減方法。
【発明の詳細な説明】
【技術分野】
【０００１】
本発明は、画像処理装置、投影型表示装置および画像処理装置の消費電力低減方法に関し、詳しくは、動作用のクロック信号を得て、画像信号を処理するＣＭＯＳタイプの画像処理回路を搭載した装置およびその消費電力低減方法に関する。
【背景技術】
【０００２】
従来、液晶プロジェクタなどの装置では、装置全体の消費電力を低減する目的で、動作用のクロック信号を得て、画像信号を処理するＣＭＯＳタイプの画像処理回路が用いられている。この画像処理回路は、画像を形成する表示用デバイス、例えば液晶パネルを駆動する駆動回路に接続されている。この画像処理回路は、液晶パネル用の色調整を行なうためのルックアップテーブルなどを内蔵し、外部からのデジタル映像信号を受け取ると、これに必要な処理を施して、表示デバイス用の駆動回路に出力している。
【０００３】
こうしたプロジェクタにおける消費電力低減技術としては、映像信号が所定時間入力されない場合に、光源など電力消費量の大きなデバイスへの電源供給を停止するもの（例えば下記特許文献１）が知られている。またＣＭＯＳ素子を用いた半導体装置については、動作用のクロック信号の周波数を低くすることで、消費電力を低減できることが知られている（例えば、下記特許文献２参照）。
【０００４】
【特許文献１】特開２００２−１８２３０４号公報
【特許文献２】特開２００４−３２６１５３号公報
【発明の開示】
【発明が解決しようとする課題】
【０００５】
しかしながら、表示用デバイスを駆動する駆動回路に接続された画像処理回路の場合、この画像処理回路や駆動回路の電源供給を遮断しただけでは、消費電力の低減を十分に行なうことができない場合があった。本願は、画像処理装置や投影型表示装置における消費電力の低減を効率的に行なうことを目的とする。
【課題を解決するための手段】
【０００６】
本発明は、以下の適用例または実施形態により、上記課題を解決する。以下、順に説明する。
【０００７】
［適用例１］
外部から入力された画像信号を処理する画像処理装置であって、
動作用のクロック信号を得て、前記画像信号を処理するＣＭＯＳタイプの画像処理回路と、
前記画像処理回路に接続されて表示用デバイスを駆動する駆動回路と、
前記画像処理回路および駆動回路を含む当該画像処理装置内の各回路に電源を供給する電源部と、
当該画像処理装置の動作を停止すると判断したとき、前記電源部からの前記電源供給のうち、少なくとも前記駆動回路への電源供給を停止すると共に、前記クロック信号の周波数を、当該画像処理装置の動作時より低くし、かつ前記画像処理回路の出力をハイインピーダンス状態またはロウレベルとする停止用制御信号を出力する停止処理部と
を備えた画像処理装置。
【０００８】
この画像処理装置では、画像処理装置の動作を停止すると判断したとき、停止用制御信号を出力し、電源部からの電源供給のうち、少なくとも駆動回路への電源供給を停止すると共に、クロック信号の周波数を、画像処理装置の動作時より低くし、かつ画像処理回路の出力をハイインピーダンス状態またはロウレベルとする。したがって、この適用例では、ＣＭＯＳタイプの画像処理回路への電源供給は継続されることになるが、クロック信号の周波数が動作時より低くなっていること、および画像処理回路の出力をハイインピーダンス状態またはロウレベルとしているので、この画像処理回路が接続された駆動回路への電源供給が絶たれていることに起因して、画像処理回路を介して、駆動回路に電流が流れ込むと言うことがない。この結果、画像処理装置全体としての消費電力をコントロールすることが可能となる。
【０００９】
［適用例２］
適用例１記載の画像処理装置であって、
少なくとも前記画像処理回路と共通のバスを介して接続され、当該画像処理装置内の各回路の動作を制御する制御部を設け、
前記停止処理部を、前記制御部が実行する処理の一つとして実現した
画像処理装置。
【００１０】
この画像処理装置では、停止処理部は、制御部が実行する処理の一つとして実現されている。画像処理装置には、コンピュータなど、装置全体の処理を司る制御部に相当するハードウェアが搭載されることが多いので、停止時処理部も、こうした制御部の一つの機能として組み込むことができる。こうした構成を採用すれば、停止処理部を別途設ける必要がなく、装置構成を簡略化することができる。
【００１１】
［適用例３］
適用例１または適用例２記載の画像処理装置であって、
前記停止処理部は、
当該装置の使用者が操作する操作部に設けられたスタンバイモードスイッチが操作されたとき、
当該装置の状態が、異常状態となったことが検出されたとき、または
前記外部からの画像信号が検出されない状態が所定時間以上継続したとき
のうちの少なくとも一つが満たされた場合に、前記画像処理装置の動作を停止するとの前記判断を行なう
画像処理装置。
【００１２】
かかる画像処理装置によれば、装置の動作を停止するとの判断を、容易かつ的確に行なうことができる。なお、操作部としては、装置自体にスイッチパネルなどを設けても良いし、リモートコントローラの側にスイッチを設けても良い。また、スタンバイモードスイッチは、他のスイッチなどと兼用しても良いし、音声認識などを利用したスイッチでも良い。もとより、画像処理装置がネットワークなどを介して他の機器と接続されている場合には、他の機器からコマンドを送ることにより、スタンバイモードスイッチと同様の機能を実現することもできる。また、装置の状態が異常状態となったとは、装置内の温度が上限値を超えた場合や、所定以上の強さの振動を検出したとき、あるいはスイッチ類の不適切な操作がなされたときなど、種々の状況を想定することができる。更に、外部からの画像信号が所定期間以上継続したときは、画像信号が失われてからの時間により判断しても良いし、画像信号が失われてからのクロック信号の累積数などで判断しても良い。
【００１３】
［適用例４］
適用例１ないし適用例３のいずれか記載の画像処理装置であって、
前記画像処理回路は、前記駆動回路に接続された出力側の複数のラインの最終段に、ＣＭＯＳ素子によるゲートを備え、停止用制御信号を受け付けたとき、前記ゲートを制御して、該ゲートの出力を、ハイインピーダンス状態またはロウレベルとする
画像処理装置。
かかる画像処理装置は、簡略な構成により、必要に応じて、画像処理回路の出力をハイインピーダンス状態またはロウレベルにすることができる。なお、同様の作用効果を奏する構成としては、ゲートを外付け回路とした構成、ゲートに代えてアナログスイッチや切替時にのみ電力を要するマイクロリレーなどを用いた構成を採用することも可能である。
【００１４】
［適用例５］
適用例４記載の画像処理装置であって、
前記画像処理回路は、前記複数のラインに対応して、前記停止制御信号を保持するラッチを備え、該ラッチの出力信号により前記ゲートの出力が、ハイインピーダンス状態またはロウレベルとなるとように前記ラッチと前記ゲートとを接続した
画像処理装置。
かかる画像処理装置では、画像処理回路はラッチを備えるので、停止制御信号を維持する必要がない。したがって、停止処理回路の動作を間歇的に停止すると構成を採用することも可能となる。かかる構成を採用すれば、消費電力の更なる低減が可能となる。
【００１５】
［適用例６］
前記画像処理回路は、前記表示用デバイスの色調整用のルックアップテーブルを備えた適用例１ないし適用例５のいずれか記載の画像表示装置。
画像処理回路が色調整用のルックアップテーブルを備える場合には、画像処理回路は、各色、数ビット（多くは８ビット）の信号線を備えることになり、動作の停止時に、多数の信号線を介して電流が流れてしまう、という課題が解決するために、多数のスイッチ等を設ける必要がない、という優れた作用効果を奏する。
【００１６】
［適用例７］
前記停止処理部は、前記クロック信号の周波数を０とする適用例１ないし適用例５のいずれか記載の画像処理装置。
画像処理回路の動作用のクロック信号の周波数を低減する際、周波数を０とするのて、消費電力は原則として、リーク電流を除けば０となる。電源の供給は継続されるが、ＣＭＯＳタイプの回路の場合、動作用クロック信号が失われれば、電源が供給されていても電力を消費しない。
【００１７】
本発明は、投影型表示装置として実現することも可能である。
［適用例８］
画像信号を処理して表示する投影型表示装置であって、
光源からの光を用いて投影する画像を形成する表示用デバイスと、
動作用のクロック信号を得て、前記画像信号を処理するＣＭＯＳタイプの画像処理回路と、
前記画像処理回路に接続されて前記表示用デバイスを駆動する駆動回路と、
前記画像処理回路および駆動回路を含む当該投影型表示装置内の各回路に電源を供給する電源部と、
少なくとも前記画像処理回路と共通のバスを介して接続され、当該投影型表示装置内の各回路の動作を制御する制御部と、
当該投影型表示装置の動作を停止すると判断したとき、前記電源部からの前記電源供給のうち、少なくとも前記駆動回路への電源供給を停止すると共に、前記クロック信号の周波数を、当該投影型表示装置の動作時より低くし、かつ前記画像処理回路の出力をハイインピーダンス状態またはロウレベルとする停止用制御信号を出力する停止処理部と
を備えた投影型表示装置。
【００１８】
この投影型表示装置では、画像表示装置同様、投影型表示装置の動作を停止すると判断したとき、停止用制御信号を出力し、電源部からの電源供給のうち、少なくとも駆動回路への電源供給を停止すると共に、クロック信号の周波数を、投影型表示装置の動作時より低くし、かつ画像処理回路の出力をハイインピーダンス状態またはロウレベルとする。したがって、この適用例では、ＣＭＯＳタイプの画像処理回路への電源供給は継続されることになるが、クロック信号の周波数が動作時より低くなっていること、および画像処理回路の出力をハイインピーダンス状態またはロウレベルとしているので、この画像処理回路が接続された駆動回路への電源供給が絶たれていることに起因して、画像処理回路を介して、駆動回路に電流が流れ込むと言うことがない。この結果、投影型表示装置全体としての消費電力をコントロールすることが可能となる。
【００１９】
こうした投影型表示装置としては、画像の形成に、液晶パネルを用いたものや、微少な反射素子を駆動するいわゆるＤＭＤ（デジタルマイクロミラーデバイス）を用いたもの、ＥＬやプラズマなどの自発光光源を用いたものなど、種々の構成を採用可能である。また、画像をスクリーンに投影するタイプのものに限らず、背面投影型テレビのように、スクリーンを備えた装置内に収納した構成も採用可能である。
【００２０】
本発明は、方法発明として把握することも可能である。また、消費電力の低減方法をコンピュータに実現させるプログラムや、そのプログラムを記録した記録媒体などの形態で実施することも可能である。
【発明を実施するための最良の形態】
【００２１】
次に、本発明の実施の形態を実施例に基づいて以下の順序で説明する。
Ａ．プロジェクタの装置構成：
Ｂ．画像制御回路の構成：
Ｃ．画像制御回路に内蔵されたＣＰＵが行なう処理：
Ｄ．変形例：
【００２２】
Ａ．プロジェクタの装置構成：
図１は、実施例におけるプロジェクタＰＪの概略構成を示す説明図である。このプロジェクタＰＪは、リア投写型のプロジェクタである。リア投写型のプロジェクタＰＪでは、スクリーンＳＣの背面側に画像を表す光が投写され、観察者は、スクリーンＳＣの表面側から画像を観察する。
【００２３】
プロジェクタＰＪは、３つの照明光学系１１０Ｒ，Ｇ，Ｂと、３つの液晶ライトバルブ１２０Ｒ，Ｇ，Ｂと、クロスダイクロイックプリズム１３０と、投写光学系１４０と、プロジェクタ全体の動作を制御する画像制御回路１７０とを備えている。なお、図１では、光学系の図示は、かなり簡略化されている。また、画像制御回路１７０から液晶ライトバルブ１２０Ｒ，Ｇ，Ｂへの信号線も、一部省略してある。画像制御回路１７０は、請求項の画像処理装置に相当するが、その構成と働きについては、後述する。
【００２４】
第１の照明光学系１１０Ｒは、赤色光Ｒを射出する第１の発光装置１０２Ｒを含んでおり、赤色光Ｒを第１の液晶ライトバルブ１２０Ｒに導く。同様に、第２の照明光学系１１０Ｇは、緑色光Ｇを射出する第２の発光装置１０２Ｇを含んでおり、緑色光Ｇを第２の液晶ライトバルブ１２０Ｇに導く。第３の照明光学系１１０Ｂは、青色光Ｂを射出する第３の発光装置１０２Ｂを含んでおり、青色光Ｂを第３の液晶ライトバルブ１２０Ｂに導く。発光装置１０２Ｒ，Ｇ，Ｂとしては、メタルハライドランプのような放電灯の光を各色フィルタにより分離して用いる構成としても良いし、Ｒ，Ｇ，Ｂの各色光を発光するＬＥＤや半導体レーザーなどを用いても良い。
【００２５】
各液晶ライトバルブ１２０Ｒ，Ｇ，Ｂは、対応する照明光学系１１０Ｒ，Ｇ，Ｂから射出された色光Ｒ，Ｇ，Ｂを変調する。これにより、各液晶ライトバルブ１２０Ｒ，Ｇ，Ｂからは、赤色，緑色，青色の画像を表す光（色画像光）が射出される。
【００２６】
クロスダイクロイックプリズム１３０は、３つの液晶ライトバルブ１２０Ｒ，Ｇ，Ｂから射出された３つの色画像光を合成する。投写光学系１４０は、合成済みの画像光をスクリーンＳＣ上に投写して、スクリーンＳＣ上にカラー画像（合成済み画像）を形成する。
【００２７】
このプロジェクタＰＪの第１ないし第３の照明光学系１１０Ｒ，１１０Ｇ，１１０Ｂに含まれている第１ないし第３の液晶ライトバルブ１２０Ｒ，１２０Ｇ，１２０Ｂは、画像制御回路１７０にフラットケーブルなどのケーブルにより接続されており、画像制御回路１７０に内蔵された駆動回路から出力される駆動信号に基づいて、投写される画像を形成する。また、プロジェクタＰＪの内部には、画像制御回路１７０の他に、電源部１５０が設けられている。電源部１５０は、商用電源から、プロジェクタＰＪの各部が必要とする電源を作り出している。電源部１５０は、後述するように、画像制御回路１７０からの制御信号を受けて、プロジェクタＰＪ内のいずれの装置に電源を供給するかを細かく制御している。
【００２８】
Ｂ．画像制御回路の構成：
次に、画像制御回路１７０の構成について説明する。図２は、本実施例のプロジェクタＰＪに備えられた画像制御回路１７０の構成を、電源部１５０と共に示すブロック図である。図示するように、画像制御回路１７０は、プロジェクタＰＪ内部の処理を司るＣＰＵ１７２、このＣＰＵ１７２に制御用信号バス１７４を介して接続されたメモリ１７６、同じく制御用信号バス１７４を介してＣＰＵ１７２に接続されたＣＭＯＳタイプの画像処理回路１８０、画像処理回路１８０に接続された表示デバイス駆動回路１８２、ＣＰＵ１７２に使用者の操作を伝えるスイッチパネル１８６などを備える。
【００２９】
ＣＰＵ１７２は、メモリ１７６に記憶されたプログラムを実行する。このＣＰＵ１７２には、制御用信号バス１７４の他、各種の制御信号を出力する信号線が接続されているいる。具体的には、クロック信号ＣＬＫとリセット信号ＲＳＴを画像処理回路１８０に出力する信号線や、電源制御信号ＰＣＳをリレー１８８に出力する信号線などがある。また、スイッチパネル１８６からスイッチの状態を読み込むための信号線が、ＣＰＵ１７２に接続されている。
【００３０】
メモリ１７６は、ＣＰＵ１７２が実行するプログラムや各種設定値を記憶するものであり、本実施例では、不揮発性でかつ電気的に書き換え可能なＥＥＰＲＯＭを用いた。プロジェクタＰＪに電源が投入されると、ＣＰＵ１７２は、予め定めたメモリ１７６の所定の番地から処理を開始する。メモリ１７６としては、揮発性の半導体メモリを用い、ハードディスクやフラッシュメモリドライブなどの外部記憶装置を内蔵し、電源投入時に、ハードディスなどの記憶装置からプログラムをロードして実行するように構成しても差し支えない。
【００３１】
画像処理回路１８０は、特定用途向け集積回路（ＡＳＩＣ）であり、プロジェクタＰＪに必要な画像処理を実行可能に構成されている。この画像処理回路１８０は、外部からのデジタル映像信号を入力し、これに対して所定の画像処理を施し、処理後のデータを、表示デバイス駆動回路１８２に出力する。画像処理回路１８０が実行する画像処理としては、表示デバイスであるライトバルブ１２０Ｒ，Ｇ，Ｂの特性の相違を吸収するための補正処理、投写される画像のゆがみを除去するキーストーン補正、コントラストや色調の調整を行なう画質補正などがある。本実施例のプロジェクタＰＪは背面投影方式を採用しているので、キーストーン補正は、固定的なものであり、省略してもよい。
【００３２】
画像処理回路１８０は、各種の補正を、その実行のオン・オフ、あるいは補正程度など、全てＣＰＵ１７２からの指示を受けて行なう。このため、ＣＰＵ１７２と画像処理回路１８０とは、制御用信号バス１７４により接続されている。画像処理回路１８０がＣＰＵ１７２から受け取るクロック信号ＣＬＫは、画像処理回路１８０の動作タイミングを決定する基準信号である。画像処理回路１８０の内部のゲートなどの論理回路は、全てこのクロック信号ＣＬＫに同期して動作している。したがって、このクロック信号ＣＬＫの周波数が低くなれば、画像処理回路１８０の処理動作も低速になる。画像処理回路１８０は、ＣＭＯＳ素子により構成されており、その消費電力は、このクロック信号ＣＬＫの周波数に依存している。動作用のクロック信号ＣＬＫの周波数が低下すると、動作速度の低下に伴い、消費電力は少なくなる。
【００３３】
画像処理回路１８０は、クロック信号ＣＬＫの他、リセット信号ＲＳＴもＣＰＵ１７２から受け取っている。このリセット信号ＲＳＴを受け取ると、画像処理回路１８０は、その動作モードを初期のモードにリセットし、全ての出力をロウレベルとする。このため、画像処理回路１８０は、図３に例示したように、出力ラインの最終段に、ＣＭＯＳ素子のアンドゲート２０１を備えている。アンドゲート２０１の一方の入力には、リセット信号ＲＳＴが接続されている。このため、ＣＰＵ１７２がリセット信号ＲＳＴをロウレベルにしている限りは、画像処理回路１８０の全出力はロウレベルに保たれる。なお、ＣＰＵ１７２がリセット信号ＲＳＴをロウレベルに維持し続ける代わりに、図４に示したように、画像処理回路１８０内に、フリップフロップ回路（Ｄ−ＦＦ）１９４を設け、その出力をアンドゲートの入力に接続するという回路構成を採っても差し支えない。この場合には、ＣＰＵ１７２は、フリップフロップ回路１９４のクロック入力端子に、一度リセット信号ＲＳＴを出力すれば良い。フリップフロップ回路１９４のデータ端子Ｄは、プルアップされているので、負論理出力Ｑ＼（「＼」は負論理を示す）は、クロック入力端子にリセット信号ＲＳＴを受け付けた時点で、ロウレベルに設定される。フリップフロップ回路１９４をリセットするには、ＣＰＵ１７２が出力する別の信号（図４では、プリセット信号ＰＲＥＳＥＴ）を用いればよい。
【００３４】
この画像処理回路１８０から表示デバイス駆動回路１８２に出力されるのは、本実施例では、表示しようとする画像をＲＧＢに分けた信号および表示用のタイミング信号であり、前者は、各色８ビット、計２４ビットの信号である。上述したように、画像処理回路１８０の出力の最終段にはアンドゲート２０１が設けられ、ＣＰＵ１７２からリセット信号ＲＳＴが出力されると、画像処理回路１８０の出力は全てロウレベルに固定される。このため、画像処理回路１８０と表示デバイス駆動回路１８２の動作の如何にかかわらず、画像処理回路１８０から表示デバイス駆動回路１８２に向けて、電流が流れるといったことはない。
【００３５】
表示デバイス駆動回路１８２は、画像処理回路１８０からのＲＧＢの信号およびタイミング信号ＴＳを受けて、表示デバイスであるライトバルブ１２０Ｒ，Ｇ，Ｂを駆動する信号を出力する。この駆動信号は、アナログの映像信号である。もとより、表示デバイス駆動回路１８２からは、ライトバルブ１２０Ｒ，Ｇ，Ｂに対して、タイミング信号も出力される。
【００３６】
次に、電源部１５０とその接続について説明する。電源部１５０は、上述したように、商用交流から各部の動作用の直流電源を生成している。本実施例では、電源部１５０は、ＣＰＵ１７２や画像処理回路１８０などの動作用のプラス５ボルトの電源と、アナログ映像信号に用いる直流１２ボルトの電源などを生成している。電源部１５０からの電源供給線は、本実施例では、３つに分けられている。一つは、直流５ボルトを供給する電源供給線ＰＳ１であり、この電源供給線ＰＳ１は、ＣＰＵ１７２、メモリ１７６、画像処理回路１８０に一括して電源を供給する。もう一つは、直流５ボルトを供給する電源供給線ＰＳ２であり、この電源供給線ＰＳ２は、リレー１８８のノーマルオープンの接点Ｒｂ１を介して、表示デバイス駆動回路１８２のデジタル信号の処理を行なっている回路に電源を供給する。最後の電源供給線ＰＳ３は、アナログ映像信号用の直流１２ボルトを供給するものであり、リレー１８８のノーマルオープンの接点Ｒｂ２を介して、表示デバイス駆動回路１８２のアナログ映像信号を駆動している回路と、ライトバルブ１２０Ｒ，Ｇ，Ｂとに接続されている。これらの接点Ｒｂ１，Ｒｂ２は、ＣＰＵ１７２がリレー１８８を駆動することにより閉成される。
【００３７】
図５に、表示デバイス駆動回路１８２のアナログ映像信号用を扱っている出力段の回路構成を模式的に示した。図示するように、表示デバイス駆動回路１８２の出力の最終段は、アナログ信号を扱うことができるように、アナログの駆動回路（オペアンプ）が設けられている。電源供給線ＰＳ３から供給される電源は、この最終段の駆動回路の駆動に用いられる。また、電源供給線ＰＳ３は、ライトバルブ１２０Ｒ，Ｇ，Ｂにも、同じ電源を供給している。なお、発光装置１０２Ｒ，Ｇ，Ｂも、同じ電源供給線ＰＳ３から電源の供給を受けている。
【００３８】
Ｃ．画像制御回路に内蔵されたＣＰＵが行なう処理：
次に、ＣＰＵ１７２が実行する処理およびその場合の各回路の動作について説明する。図６は、本実施例における画像制御回路１７０のＣＰＵ１７２が実行する処理を模式的に示したフローチャートである。また、図７は、ＣＰＵ１７２が実行する動作モード監視処理ルーチンを示すフローチャートである。ＣＰＵ１７２のこれらの処理に対応した各回路の動作状態を、図８のタイミングチャートに示した。
【００３９】
ＣＰＵ１７２は、電源が投入されると、図６に示した処理（メインルーチン）を開始する。ＣＰＵ１７２は、まず初期化の処理（ステップＳ１１０）を実行する。初期化の処理は、このプロジェクタＰＪの各種設定を初期値に戻すと共に、リレー１８８を駆動して、ノーマルオープンの接点Ｒｂ１，Ｒｂ２をいずれも閉成する。この結果、初期化の処理が完了すると、表示デバイス駆動回路１８２のデジタル信号の処理回路に電源供給線ＰＳ２を介して５ボルトの電源が、表示デバイス駆動回路１８２のアナログ映像信号用の処理回路とライトバルブ１２０Ｒ，Ｇ，Ｂとに、電源供給線ＰＳ３を介して１２ボルトの電源が、それぞれ供給され、両回路は動作を開始する。
【００４０】
続いて、ＣＰＵ１７２は、デジタル映像信号ＤＭＳをチェックし（ステップＳ１２０）、デジタル映像信号が入力されていると判断すれば（ステップＳ１３０）、通常の表示処理ルーチン（ステップＳ１５０）を実行する。この表示処理ルーチン（ステップＳ１５０）では、ＣＰＵ１７２は、スイッチパネル１８６の操作に基づいて、例えば発光装置１０２Ｒ，Ｇ，Ｂを点灯し、画像処理回路１８０を動作可能として、デジタル映像信号ＤＭＳの処理を行なわせ、これを表示デバイス駆動回路１８２によりアナログ映像信号を変換し、必要とされるタイミング信号と共にライトバルブ１２０Ｒ，Ｇ，Ｂに出力する動作を開始する。画像処理回路１８０は、ステップＳ１５０の処理が一旦行なわれれば、ＣＰＵ１７２により設定された条件に基づいて、デジタル映像信号の処理を継続する。この結果、入力したデジタル映像信号ＤＭＳに応じた画像がライトバルブ１２０Ｒ，Ｇ，Ｂに形成され、最終的に、光源である発光装置１０２Ｒ，Ｇ，Ｂからの光を利用して、スクリーンＳＣ上に、画像が表示されることになる。この状態の各信号の様子を図８に区間Ａとして示した。
【００４１】
他方、ＣＰＵ１７２が、デジタル映像信号ＤＭＳが所定期間に亘って入力されていないと判断すれば（ステップＳ１３０）、表示処理ルーチン（ステップＳ１５０）は実行されない。いずれの場合でも、続いて監視処理ルーチンを起動する処理を行なう（ステップＳ１６０）。この処理は、プロジェクタＰＪの消費電力を低減するための処理を、プロジェクタＰＪの動作条件に基づいて実行するルーチンであり、通常は、メモリ上に常駐し、ＯＳの管理の元で、他のアプリケーションプログラムのバックグランウンドで動作する処理である。
【００４２】
そこで、次に、図７を参照しつつ、動作モード監視処理について説明する。この処理は、所定のインターバルで繰り返し、バックグラウンドで実行される。この処理ルーチンが開始されると、まずＣＰＵ１７２は、スイッチパネル１８６上のパワースイッチ（ＰＳＷ）が操作されたか否かの判断を行なう（ステップＳ２１０）。このパワースイッチとは、プロジェクタＰＪに商用電源を供給する電源スイッチではなく、プロジェクタＰＪの使用のオン・オフを操作するスイッチである。一般にこのスイッチの操作により、プロジェクタＰＪの光源（本実施例では発光装置１０２Ｒ，Ｇ，Ｂ）が点灯し、あるいは消灯する。本実施例では、図７に示した処理は所定のインターバルで繰り返し実施されるものとしたが、パワースイッチの操作があったことを要因とする割り込み処理として実現してもよい。また、パワースイッチの操作は、スイッチパネル１８６上のボタンの単純なオン・オフの操作により判断してもよいし、ボタンの長押しや二度押しなどにより、パワースイッチが操作されたものと判断しても良い。
【００４３】
パワースイッチが操作されていなければ、何も行なわずに処理を終了する。他方、パワースイッチが操作されていれば、次にプロジェクタＰＪは動作中か否かの判断を行なう（ステップＳ２２０）。プロジェクタＰＪがすでに動作、つまり入力されているデジタル映像信号の投影を行なっていれば、ステップＳ２３０ないしＳ２６０の処理を実行し、プロジェクタＰＪが動作中でなければ、ステップＳ２３５ないしＳ２６５の処理を実行する。これらの処理は、後述するように、対称的な処理となっている。
【００４４】
まず、プロジェクタＰＪが動作中の場合の処理について説明する。プロジェクタＰＪが動作中だと判断した場合には（ステップＳ２２０）、続いてプロジェクタＰＪの停止条件が成立しているか否かについて判断する（ステップＳ２３０）。プロジェクタＰＪの停止条件が成立していると判断されるのは、
（１）スイッチパネルに設けられたスタンバイスイッチが操作されている場合、
（２）所定期間（例えば２分）以上、デジタル映像信号が入力されていない場合、
（３）プロジェクタＰＪに内蔵された温度センサにより、プロジェクタＰＪ内部が所定の温度以上となっていることを検出した場合、
などである。もとより、その他の状態、例えば発光装置に流れる電流が所定値以上となっており、発光装置の取り替えが必要と判断されたとき、発光装置の累積使用時間が所定値以上となっており、交換が必要と判断されたとき、プロジェクタＰＪの内部を冷却するファンの回転が停止あるいは所定回転数以下となっている異常時、などに、停止条件が成立していると判断することも差し支えない。プロジェクタＰＪが動作中でかつ停止条件が成立していないと判断された場合には、何も行なわず、ＲＴＮに抜けて処理を終了する。
【００４５】
プロジェクタＰＪが動作中でかつ停止条件が成立していると判断した場合には、ＣＰＵ１７２は、まずリセット信号ＲＳＴを出力し（ステップＳ２４０）、続いてクロック信号ＣＬＫを停止する（ステップＳ２５０）。この結果、画像処理回路１８０は、出力の最終段に設けられたゲート（図３、図４参照）の一方の入力がインアクティブ（ロウレベル）となり、表示デバイス駆動回路１８２への全出力はロウレベルとなる。また、クロック信号ＣＬＫが停止されるので、画像処理回路１８０は、実質的に動作を停止する。
【００４６】
上記の処理（ステップＳ２４０，Ｓ２５０）に引き続き、ＣＰＵ１７２は、リレー１８８に停止信号を送り、その接点をノーマルオープンの状態に切り替える処理を行なう（ステップＳ２６０）。接点がオープン状態となることから、結果的に、ＣＰＵ１７２は、図７のステップＳ２６０に記載したように、電源供給線ＰＳ２、ＰＳ３への電源供給を停止することになる。電源供給線ＰＳ２は、表示デバイス駆動回路１８２のロジック回路への５ボルトの直流電源を、電源供給線ＰＳ３は、表示デバイス駆動回路１８２のアナログ回路と表示デバイスであるライトパルプ１２０Ｒ，Ｇ，Ｂおよび発光装置１０２Ｒ，Ｇ，Ｂへの１２ボルトの直流電源を、それぞれ供給しているから、両者が停止されることにより、表示デバイス駆動回路１８２とライトバルブ１２０Ｒ，Ｇ，Ｂおよび発光装置１０２Ｒ，Ｇ，Ｂとは、動作を完全に停止する。この状態における各信号の状態を、図８の期間Ｂに示した。
【００４７】
図８の区間Ｂに示したように、この場合、電源供給線ＰＳ１による電源供給は継続されるから、ＣＰＵ１７２、メモリ１７６、画像処理回路１８０は、引き続き動作を継続する。しかし、画像処理回路１８０のデジタル映像信号の全出力は、ロウレベルとされているので、ＣＰＵ１７２から画像処理回路１８０への出力がどのような状態となっていても、画像処理回路１８０から表示デバイス駆動回路１８２へ電流が流れることはない。また、クロック信号ＣＬＫが停止されているので、画像処理回路１８０の消費電力も限りなく０に近い状態となる。この結果、停止条件が成立していると判断された場合には（ステップＳ２３０）、プロジェクタＰＪの消費電力は、ＣＰＵ１７２，メモリ１７６の省電力程度まで低減されることになる。
【００４８】
上記処理を行なった後、ＲＴＮに抜けて処理は一旦終了するが、この場合、プロジェクタＰＪは停止状態となる。従って、次にこの動作モード監視処理ルーチンが実行されたときに、パワースイッチが操作されると、ステップＳ２２０の判断は、「ＮＯ」、すなわちプロジェクタＰＪが動作中ではないと判断されることになり、処理はステップＳ２３５以降に移行する。ステップＳ２３５では、停止されているプロジェクタＰＪの再開条件が成立しているか否かの判断を行なう。「再開条件の成立」とは、上述した「停止条件の成立」を不成立とする状態である。例えば、
（１）スイッチパネルに設けられたスタンバイスイッチが操作された場合、
（２）デジタル映像信号が入力された場合、
（３）プロジェクタＰＪに内蔵された温度センサにより、プロジェクタＰＪ内部が所定の温度未満まで低下して正常状態に復したことを検出した場合、
などを考えることができる。
【００４９】
再開条件が成立していなければ、そのままＲＴＮに抜けて、本ルーチンを終了する。他方、再開条件が成立していると判断した場合には（ステップＳ２３５）、クロック信号ＣＬＫを元に戻し供給し（ステップＳ２４５）、更にリセット信号ＲＳＴをオフとし（ステップＳ２５５）、リレー１８８を動作させて、ノーマルオープンの接点を閉成する（ステップＳ２６５）。この結果、電源供給線ＰＳ２、ＰＳ３は、元に復して、それぞれの電源供給を再開する。
【００５０】
この状態を、図８の期間Ｃに示した。クロック信号ＣＬＫが供給され、リセット信号ＲＳＴがオフとされ、更に電源の供給も再開されるので、画像処理回路１８０は処理を再開し、表示デバイス駆動回路１８２やライトバルブ１２０Ｒ，Ｇ，Ｂとにあるいは発光装置１０２Ｒ，Ｇ，Ｂも動作を再開する。この結果、入力されたデジタル映像信号に従って、映像がスクリーンＳＣ上に表示されることになる。図８に示したように、この期間Ｃの各信号は、期間Ａの状態に復している。
【００５１】
以上、本発明の一実施例について説明したが、本実施例のプロジェクタＰＪによれば、映像信号が所定時間に亘って入力されないといった場合に、表示デバイス駆動回路１８２や発光装置１０２Ｒ，Ｇ，Ｂへの電源の供給を停止するので、プロジェクタＰＪの消費電力を低減することができる。しかも、このとき画像処理回路１８０のデジタル映像信号ＤＭＳはすべてロウレベルとされるので、画像処理回路１８０から表示デバイス駆動回路１８２へと電流が流れ込むという状態になることがない。この電流の流れ込みは、たとえ画像処理回路１８０への電源の供給を停止しても、ＣＰＵ１７２が動作している場合には、制御用信号バス１７４を介して画像処理回路１８０に接続されたＣＰＵ１７２からの回り込みにより生じることがある。電流の回り込みが生じると、ＣＭＯＳ素子からなる画像処理回路１８０はラッチアップを起こす虞がある。こうした事態を防止するには、例えばＣＰＵ１７２との間の制御用信号バスに、画像処理回路１８０との接続を遮断するスイッチを設ければよいが、バスを構成する多数の信号線にスイッチを設けることはコストアップを招いてしまう。本実施例では、画像処理回路１８０の出力にゲートを設けて、その出力をロウレベルにすることにより、こうした事態の発生を防止しており、ラッチアップ対策などのスイッチを必要としない。
【００５２】
同時に、画像処理回路１８０へのクロック信号ＣＬＫの供給を停止しているので、画像処理回路１８０での消費電力も実質的に０にまで低減される。この結果、画像処理回路１８０への電源供給は継続されているものの、ＣＰＵ１７２からの回り込みによる表示デバイス駆動回路１８２への電流の流れ込みは回避され、トータルでの消費電力は、十分に抑制される。
【００５３】
Ｄ．変形例：
以上本発明の実施例について説明したが、本発明はこうした実施例に何ら限定されるものではなく、本発明の要旨を逸脱しない範囲内で、種々の態様で実施することができる。例えば、ステップＳ２５０でのクロック信号ＣＬＫの停止に代えて、クロック信号ＣＬＫの周波数を十分に低減するという処理を行なうことも可能である。ＣＭＯＳ素子を用いた回路では、その消費電力は、クロック信号ＣＬＫの周波数に依存する。従って、クロック信号ＣＬＫを停止しなくても、その周波数を低減することで、画像処理回路１８０の消費電力は十分に抑制することができる。また、ライトバルブ１２０Ｒ，Ｇ，Ｂと発光装置１０２Ｒ，Ｇ，Ｂとの電源供給線を分離し、別々のタイミングで制御することも差し支えない。更に、発光装置１０２Ｒ，Ｇ，Ｂとライトバルブ１２０Ｒ，Ｇ，Ｂとを一体化した構成、例えば自発光タイプであってかつ画像を直接形成可能なＣＲＴやＥＬ等を用いた構成とすることも差し支えない。
【００５４】
また、本実施例では、ステップＳ２３０で、プロジェクタＰＪの停止条件が成立していると判断したとき、画像処理回路１８０のデジタル映像出力をすべてロウレベルとしたが、すべての出力をハイインピーダンス状態としても良い。この場合も、画像処理回路１８０から表示デバイス駆動回路１８２への電流の流れ込みは生じない。
【００５５】
上述した実施例で用いた回路や構成、あるいは実施した処理のうち、特許請求の範囲に記載のないものは、本発明を実施する上では必須の要件ではない。また、実施例に記載された回路や構成、あるいは処理と均等なものによっても、本発明が実施できることは勿論である。
【図面の簡単な説明】
【００５６】
【図１】本発明の一実施例としてのプロジェクタＰＪの概略構成を示す概略構成図である。
【図２】実施例における画像制御回路１７０の構成例を示すブロック図である。
【図３】画像処理回路１８０の出力ラインの最終段の構成を示す回路図である。
【図４】画像処理回路１８０の出力ラインをロウレベルに制御する他の構成例を示す回路図である。
【図５】表示デバイス駆動回路１８２と表示デバイスであるライトバルブ１２０Ｒ，Ｇ，Ｂとのインタフェースの構成を概念的に示す説明図である。
【図６】実施例における処理を説明するためのフローチャートである。
【図７】実施例における動作モード監視処理ルーチンを示すフローチャートである。
【図８】実施例における各信号の様子を示すタイミングチャートである。
【符号の説明】
【００５７】
１０２Ｒ，Ｇ，Ｂ…発光装置
１１０Ｒ，Ｇ，Ｂ…照明光学系
１２０Ｒ，Ｇ，Ｂ…液晶ライトバルブ
１３０…クロスダイクロイックプリズム
１４０…投写光学系
１５０…電源部
１７０…画像制御回路
１７２…ＣＰＵ
１７４…制御用信号バス
１７６…メモリ
１８０…画像処理回路
１８２…表示デバイス駆動回路
１８６…スイッチパネル
１８８…リレー
１９４…フリップフロップ回路
ＰＪ…プロジェクタ
ＰＳ１…電源供給線
ＰＳ２…電源供給線
ＰＳ３…電源供給線
ＲＳＴ…リセット信号
Ｒｂ１，Ｒｂ２…接点
ＳＣ…スクリーン
ＴＳ１…タイミング信号
ＴＳ２…タイミング信号
【図１】
2010151920.tif 000003
【図２】
2010151920.tif 000004
【図３】
2010151920.tif 000005
【図４】
2010151920.tif 000006
【図５】
2010151920.tif 000007
【図６】
2010151920.tif 000008
【図７】
2010151920.tif 000009
【図８】
2010151920.tif 000010